(57)【要約】【課題】移動局が待ち受け時における電池消耗を軽減でき、異なる事業者間での通信も可能で、着側で発信者を特定できる移動通信システムを提供する。【解決手段】発側の移動局１００がＩＰ網３０１を通じてセンター装置４００に対し、着側の移動局２００の電話番号Ｍ２を指定してＶｏＩＰによる音声通信の要求を行い、これに対してセンター装置４００が回線交換網５００を通じて移動局２００に発呼し、ＵＵＩ情報を通じて、移動局１００の電話番号Ｍ１とＩＰアドレスＩＰ１を通知する。これに対して移動局２００は、通知された移動局１００の電話番号Ｍ１に基づいて、ユーザに誰からの着信が生じているかを報知するとともに、移動局１００のＩＰアドレスＩＰ１に基づいて、ＩＰ網３０２，３０１を通じ移動局１００とＶｏＩＰによる音声通信を行うための音声通信リンクを確立し、ＶｏＩＰによる音声通信を行うようにしたものである。【選択図】      図１
2006287791.tif 000002
【特許請求の範囲】
【請求項１】
少なくともＩＰ網を通じた通信が可能な第１無線端末と、前記ＩＰ網を通じた通信と回線交換網を通じた通信が可能な第２無線端末とを、無線基地局を通じて接続し、前記ＩＰ網と前記回線交換網に接続されるセンター装置を備えた無線通信システムであって、
前記第１無線端末は、
無線基地局と無線通信し、前記ＩＰ網を通じた通信を行う通信手段と、
この通信手段を用いて、当該第１無線端末に割り当てられたＩＰアドレスを取得する取得手段と、
前記通信手段を用いて前記センター装置宛てに、前記取得手段が取得したＩＰアドレスと、予め前記第２無線端末に割り当てられた電話番号とを対応づけた発呼情報を送信する発呼手段と、
前記通信手段を用いて、前記ＩＰ網を通じて前記第２無線端末と音声通信を行う音声通信手段とを備え、
前記センター装置は、
前記ＩＰ網を通じて前記発呼情報を受信する第１通信手段と、
この第１通信手段が受信した前記発呼情報に含まれる前記第２無線端末に割り当てられた電話番号に基づいて、前記回線交換網を通じて前記第２無線端末に対し、前記発呼情報に含まれる前記第１無線端末に割り当てられたＩＰアドレスを含む着信情報を送信する第２通信手段とを備え、
前記第２無線端末は、
無線基地局と無線通信し、前記回線交換網を通じて前記センター装置から前記着信情報を受信する通信手段と、
この通信手段が受信した着信情報に含まれるＩＰアドレスに基づいて、無線基地局と無線通信し、前記ＩＰ網を通じて前記第１無線端末と音声通信を行う音声通信手段とを具備したことを特徴とする無線通信システム。
【請求項２】
少なくともＩＰ網を通じた通信が可能な第１無線端末と、前記ＩＰ網を通じた通信と回線交換網を通じた通信が可能な第２無線端末とを、無線基地局を通じて接続し、前記ＩＰ網と前記回線交換網に接続されるセンター装置を備えた無線通信システムであって、
前記第１無線端末は、
無線基地局と無線通信し、前記ＩＰ網を通じた通信を行う通信手段と、
この通信手段を用いて、当該第１無線端末に割り当てられたＩＰアドレスを取得する取得手段と、
前記通信手段を用いて前記センター装置宛てに、前記取得手段が取得したＩＰアドレスと、予め当該第１無線端末に割り当てられた電話番号と、予め前記第２無線端末に割り当てられた電話番号とを対応づけた発呼情報を送信する発呼手段と、
前記通信手段を用いて、前記ＩＰ網を通じて前記第２無線端末と音声通信を行う音声通信手段とを備え、
前記センター装置は、
前記ＩＰ網を通じて前記発呼情報を受信する第１通信手段と、
この第１通信手段が受信した前記発呼情報に含まれる前記第２無線端末に割り当てられた電話番号に基づいて、前記回線交換網を通じて前記第２無線端末に対し、前記発呼情報に含まれる前記第１無線端末に割り当てられたＩＰアドレスと電話番号とを含む着信情報を送信する第２通信手段とを備え、
前記第２無線端末は、
情報を表示する表示手段と、
電話番号とユーザ情報を対応づけた電話帳データを記憶する記憶手段と、
無線基地局と無線通信し、前記回線交換網を通じて前記センター装置から前記着信情報を受信する通信手段と、
この通信手段が受信した着信情報に含まれる電話番号に対応するユーザ情報を前記記憶手段が記憶する電話帳データから検出し、この検出したユーザ情報を前記表示手段に表示させる着信通知手段と、
前記通信手段が受信した着信情報に含まれるＩＰアドレスに基づいて、無線基地局と無線通信し、前記ＩＰ網を通じて前記第１無線端末と音声通信を行う音声通信手段とを具備したことを特徴とする無線通信システム。
【請求項３】
ＩＰ網と回線交換網に接続されるセンター装置を備えた無線通信システムで用いられ、無線基地局に無線接続される相手側無線端末と音声通信する移動無線端末装置であって、
無線基地局と無線通信し、前記ＩＰ網を通じた通信を行う通信手段と、
この通信手段を用いて、当該移動無線端末装置に割り当てられたＩＰアドレスを取得する取得手段と、
前記通信手段を用いて前記センター装置宛てに、前記取得手段が取得したＩＰアドレスと、予め前記相手側無線端末に割り当てられた電話番号とを対応づけた発呼情報を送信する発呼手段と、
前記通信手段を用いて、前記ＩＰ網を通じて前記相手側無線端末と音声通信を行う音声通信手段とを具備したことを特徴とする移動無線端末装置。
【請求項４】
ＩＰ網と回線交換網に接続されるセンター装置を備えた無線通信システムで用いられ、無線基地局に無線接続される相手側無線端末と音声通信する移動無線端末装置であって、
無線基地局と無線通信し、前記ＩＰ網を通じた通信を行う通信手段と、
この通信手段を用いて、当該移動無線端末装置に割り当てられたＩＰアドレスを取得する取得手段と、
前記通信手段を用いて前記センター装置宛てに、前記取得手段が取得したＩＰアドレスと、予め当該移動無線端末装置に割り当てられた電話番号と、予め前記相手側無線端末に割り当てられた電話番号とを対応づけた発呼情報を送信する発呼手段と、
前記通信手段を用いて、前記ＩＰ網を通じて前記相手側無線端末と音声通信を行う音声通信手段とを具備したことを特徴とする移動無線端末装置。
【請求項５】
発呼側無線端末と無線通信する第１無線基地局とＩＰ網を通じて通信するとともに、着呼側無線端末と無線通信する第２無線基地局と回線交換網を通じて通信するセンター装置であって、
前記ＩＰ網を通じて前記発呼側無線端末から、前記発呼側無線端末に割り当てられたＩＰアドレスと前記着呼側無線端末に割り当てられた電話番号を受信する第１通信手段と、
この第１通信手段が受信した電話番号に基づいて、前記回線交換網を通じて前記着呼側無線端末に対し、前記第１通信手段が受信したＩＰアドレスを送信する第２通信手段とを具備したことを特徴とするセンター装置。
【請求項６】
発呼側無線端末と無線通信する第１無線基地局とＩＰ網を通じて通信するとともに、着呼側無線端末と無線通信する第２無線基地局と回線交換網を通じて通信するセンター装置であって、
前記ＩＰ網を通じて前記発呼側無線端末から、前記発呼側無線端末に割り当てられたＩＰアドレスと電話番号と、前記着呼側無線端末に割り当てられた電話番号とを受信する第１通信手段と、
この第１通信手段が受信した前記着呼側無線端末に割り当てられた電話番号に基づいて、前記回線交換網を通じて前記着呼側無線端末に対し、前記第１通信手段が受信した前記発呼側無線端末に割り当てられたＩＰアドレスと電話番号を送信する第２通信手段とを具備したことを特徴とするセンター装置。
【請求項７】
ＩＰ網と回線交換網に接続されるセンター装置を備えた無線通信システムで用いられ、無線基地局に無線接続される相手側無線端末と音声通信する移動無線端末装置であって、
無線基地局と無線通信し、前記回線交換網を通じて前記センター装置から、前記相手側無線端末に割り当てられたＩＰアドレスを受信する通信手段と、
この通信手段が受信したＩＰアドレスに基づいて、無線基地局と無線通信し、前記ＩＰ網を通じて前記相手側無線端末と音声通信を行う音声通信手段とを具備したことを特徴とする移動無線端末装置。
【請求項８】
ＩＰ網と回線交換網に接続されるセンター装置を備えた無線通信システムで用いられ、無線基地局に無線接続される相手側無線端末と音声通信する移動無線端末装置であって、
情報を表示する表示手段と、
電話番号とユーザ情報を対応づけた電話帳データを記憶する記憶手段と、
無線基地局と無線通信し、前記回線交換網を通じて前記センター装置から、前記相手側無線端末に割り当てられたＩＰアドレスと電話番号を受信する通信手段と、
この通信手段が受信した電話番号に対応するユーザ情報を前記記憶手段が記憶する電話帳データから検出し、この検出したユーザ情報を前記表示手段に表示させる着信通知手段と、
前記通信手段が受信したＩＰアドレスに基づいて、無線基地局と無線通信し、前記ＩＰ網を通じて前記相手側無線端末と音声通信を行う音声通信手段とを具備したことを特徴とする移動無線端末装置。
【発明の詳細な説明】
【技術分野】
【０００１】
この発明は、例えばパケットサービスを利用して音声通信を行う移動通信システムに関する。
【背景技術】
【０００２】
周知のように、移動通信システムにおいて、ＶｏＩＰ（Voice over Internet Protocol）によるパケットサービスを利用する音声通信を行う場合、移動局である携帯端末は基地局を通じてネットワークに常時接続していないため、システムの構造上、着信発生の通知を受けることができない。
【０００３】
これに対して従来は、中継交換機が事前に移動局にＩＰアドレスを付与しておき、その上でパケット着信時にパケットの起動を行うようにしている（例えば、特許文献１参照）。またこの方式では、発信元に対する着側ＩＰアドレスの通知も中継交換機が行っており、中継交換機が着側のＩＰアドレスを管理する関係上、他事業者などの環境の異なる移動局を管理することができない。また、ＩＰアドレスの通知のみでパケットの起動をかけるため、着側では呼出元が誰なのかを判断できないという問題がある。
【０００４】
この他、従来は、インターネット上にディレクトリサービスのデータベースを持ち、それを用いて電話番号とインターネットアドレスを結びつけ、着側のアドレスを特定する方式もある（例えば、特許文献２参照）。この方式では、一度リンクを確立した場合に、暫く繋いだままにできる装置では、この方法でＩＰアドレスの管理が可能である。しかし、移動局は移動が伴うことが常であり、長時間のパケット通信を維持していることがほとんど無い上に、呼が切断された待ち受け状態になっていることが通常である。更には、短い時間のパケット通信の確立時毎にＤＨＣＰ（Dynamic Host Configuration Protocol）によりアドレスが割り振られるため、データベースで管理しているアドレスは誰も使っていない状態になる可能性が高く、更には別のユーザに移っている可能性も高い。以上のことから、データベース上で任意の移動局のＩＰアドレスを管理することが事実上不可能となっていた。
【特許文献１】特開２００１−３３３１１１公報
【特許文献２】特開２００２−５３４９１４公報
【発明の開示】
【発明が解決しようとする課題】
【０００５】
パケットサービスを利用して音声通信を行う場合、移動局である携帯端末は基地局を通じてネットワークに接続されていないと、システムの構造上、着信発生の通知を受けることができないため、常時パケット網に接続している必要があるが、接続を維持していると電池を急速に消耗することになる。また従来は、異なる事業者間での通信ができなかったり、着側で発信者を特定できないという問題があった。
【０００６】
この発明は上記の問題を解決すべくなされたもので、移動局が待ち受け時における電池消耗を軽減でき、異なる事業者間での通信も可能で、移動局間でＩＰ網を通じた音声通信を可能とする移動通信システム、移動無線端末装置およびセンター装置を提供することを目的とする。
【課題を解決するための手段】
【０００７】
上記の目的を達成するために、この発明は、少なくともＩＰ網を通じた通信が可能な第１無線端末と、ＩＰ網を通じた通信と回線交換網を通じた通信が可能な第２無線端末とを、無線基地局を通じて接続し、ＩＰ網と回線交換網に接続されるセンター装置を備えた無線通信システムであって、第１無線端末は、無線基地局と無線通信し、ＩＰ網を通じた通信を行う通信手段と、この通信手段を用いて、当該第１無線端末に割り当てられたＩＰアドレスを取得する取得手段と、通信手段を用いてセンター装置宛てに、取得手段が取得したＩＰアドレスと、予め前記第２無線端末に割り当てられた電話番号とを対応づけた発呼情報を送信する発呼手段と、通信手段を用いて、ＩＰ網を通じて第２無線端末と音声通信を行う音声通信手段とを備え、センター装置は、ＩＰ網を通じて発呼情報を受信する第１通信手段と、この第１通信手段が受信した発呼情報に含まれる第２無線端末に割り当てられた電話番号に基づいて、回線交換網を通じて第２無線端末に対し、発呼情報に含まれる第１無線端末に割り当てられたＩＰアドレスを含む着信情報を送信する第２通信手段とを備え、第２無線端末は、無線基地局と無線通信し、回線交換網を通じてセンター装置から着信情報を受信する通信手段と、この通信手段が受信した着信情報に含まれるＩＰアドレスに基づいて、無線基地局と無線通信し、ＩＰ網を通じて第１無線端末と音声通信を行う音声通信手段とを具備して構成するようにした。
【発明の効果】
【０００８】
以上述べたように、この発明では、発側である第１無線端末がＩＰ網を通じてセンター装置に対し、着側である第２無線端末の電話番号を指定し、これに対してセンター装置が回線交換網を通じて第２無線端末と通信し、第１無線端末のＩＰアドレスを通知する。これに対して第２無線端末は、通知された第１無線端末のＩＰアドレスに基づいて、ＩＰ網を通じ第１無線端末と音声通信を行うようにしている。
【０００９】
したがって、この発明によれば、移動局が待ち受け時における電池消耗を軽減でき、異なる事業者間での通信も可能で、移動局間でＩＰ網を通じた音声通信を可能とする移動通信システム、移動無線端末装置およびセンター装置を提供できる。
【発明を実施するための最良の形態】
【００１０】
以下、図面を参照して、この発明の一実施形態について説明する。  
図１は、この発明の一実施形態に係わる移動通信システムの構成を示すものである。この移動通信システムは、移動局１００，２００と、基地局ＢＳ１，ＢＳ２と、ＩＰ網３０１，３０２と、ＤＨＣＰサーバ３１０，３２０と、センター装置４００と、回線交換網５００とを備えている。以下の説明では、移動局１００を発側の移動無線端末装置とし、移動局２００を着側の移動無線端末装置として説明する。
【００１１】
基地局ＢＳ１は、ＩＰ網３０１と回線交換網５００に接続されており、自局の無線ゾーン内に位置する移動局１００と無線通信により、パケット接続と回線交換接続が可能で、パケット接続される移動局１００についてはＩＰ網３０１に接続し、一方、回線交換接続される移動局１００については回線交換網５００に接続する。
【００１２】
同様に、基地局ＢＳ２は、ＩＰ網３０２と回線交換網５００に接続されており、自局の無線ゾーン内に位置する移動局２００と無線通信により、パケット接続と回線交換接続が可能で、パケット接続される移動局２００についてはＩＰ網３０２に接続し、一方、回線交換接続される移動局２００については回線交換網５００に接続する。
【００１３】
ＩＰ網３０１とＩＰ網３０２は、互いに接続されており、センター装置４００と接続可能である。またＩＰ網３０１には、ＤＨＣＰサーバ３１０が設けられ、ＩＰ網３０２には、ＤＨＣＰサーバ３２０が設けられる。またセンター装置４００は、回線交換網５００を通じて発呼が可能である。
【００１４】
次に、図２を参照して移動局１００の構成について説明する。なお、移動局２００も同様の構成であることより、説明を省略する。  
移動局１００は、サービス加入者が携帯する移動無線端末装置であって、制御部１０１と、無線部１０２と、通信部１０３と、表示部１０４と、入力部１０５と、音声入出力部１０６と、記憶部１０７とを備える。
【００１５】
無線部１０２は、基地局ＢＳ１や基地局ＢＳ２と無線通信を行い、これらとの間に無線通信リンクを確立する。通信部１０３は、後述する制御部１０１の制御にしたがって、上記基地局を通じた通信を行うものであり、回線交換網５００を通じた通信を行う制御を実施する回線接続手段１０３ａと、ＩＰ網３０１や３０２を通じた通信を行う制御を実施するパケット接続手段１０３ｂとを備える。
【００１６】
表示部１０４は、制御部１０１の指示に従って、ユーザに対して視覚的な情報を提供する表示手段であって、文字や写真、動画像をはじめとする種々の情報を映示するものである。入力部１０５は、制御部１０１の指示に従って、複数のキースイッチなどの入力手段を備え、これらに対するユーザの操作で、ユーザからの要求を受け付けるものである。
【００１７】
音声入出力部１０６は、マイクロホンとスピーカを備え、音声通信を行う場合に、制御部１０１の指示に従って、上記マイクロホンを通じてユーザの音声入力を受け付けるとともに、スピーカを通じて通話相手から受信した音声信号を拡声出力するものである。
【００１８】
記憶部１０７は、制御部１０１の制御プログラムや制御データを記憶する他に、センター装置４００のＩＰアドレスＩＰ０や、自局に割り当てられた電話番号Ｍ１を記憶したり、電話番号と氏名を対応づけた電話帳データなどを記憶する。またＤＨＣＰサーバ３１０から割り当てられるＩＰアドレスＩＰ１を記憶する。
【００１９】
制御部１０１は、上記記憶部１０７に記憶される制御プログラムや制御データにしたがって、当該移動局１００の各部を統括して制御するものであって、回線交換網５００を通じた通常の音声通信を実現するのに加えて、ＩＰ網３０１，３０２を通じてＶｏＩＰによる音声通信を実現するものである。
【００２０】
次に、上記構成の移動通信システムの動作について説明する。  
はじめに、移動局１００および移動局２００の動作について説明する。まず、ＶｏＩＰによる音声通信を発信側として実施する場合の処理について説明する。
【００２１】
この処理を図３のフローチャートに示す。この処理は、制御部１０１によってなされ、その制御プログラムは、記憶部１０７に記憶され、入力部１０５を通じて、ユーザからＶｏＩＰ発信の要求を受け付けると実行される。なお、この処理は、発信側の移動無線端末装置である移動局１００の処理であるが、移動局２００においても同様に実行可能である。
【００２２】
まず、ステップ３ａにおいて制御部１０１は、入力部１０５を通じて、着先である移動局２００の電話番号Ｍ２の入力を受け付け、ステップ３ｂに移行する。ステップ３ｂにおいて制御部１０１は、入力部１０５のオフフックキーなどの押下により、発呼要求が生じたか否かを判定し、上記要求があった場合には、ステップ３ｃに移行する。
【００２３】
ステップ３ｃにおいて制御部１０１は、ステップ３ｂで生じた要求が、ＶｏＩＰによる音声通信を行うための発呼か、あるいは回線交換網５００を通じた音声通信を行うための発呼かを判定する。ここで、ＶｏＩＰによる音声通信を行うための発呼の場合には、ステップ３ｇに移行し、回線交換網５００を通じた音声通信を行うための発呼の場合には、ステップ３ｄに移行する。
【００２４】
ステップ３ｄにおいて制御部１０１は、回線接続手段１０３ａに対して、回線交換リンクを確立するように指示を与える。すると、回線接続手段１０３ａは、無線部１０２を制御して、回線交換網５００を通じた音声通信を行うため手順を実行し、回線交換リンクを確立する。このようにして音声通信が確立されると、制御部１０１は、ステップ３ｅに移行する。
【００２５】
ステップ３ｅにおいて制御部１０１は、音声入出力部１０６のマイクロホンを通じて入力されるユーザの入力音声信号を符号化し、通信部１０３を制御して、上記音声通信リンクを通じて通信相手に送信するとともに、上記通信リンクを通じて受信した音声データを復号し、音声入出力部１０６のスピーカを通じて相手側の送話音声を拡声出力する音声信号処理を開始し、ステップ３ｆに移行する。
【００２６】
ステップ３ｆにおいて制御部１０１は、ユーザにより入力部１０５のオンフックキーが操作されたり、あるいは通信部１０３が通話相手から終話信号を受信するなどの終話条件が満たされた場合に、通信部１０３を制御して終話信号を送信するとともに、上記通信リンクを切断し、当該処理を終了する。
【００２７】
一方、ステップ３ｇにおいて制御部１０１は、パケット接続手段１０３ｂに対して、パケット通信リンクを確立するように指示を与える。これによりパケット接続手段１０３ｂは、無線部１０２を制御して、基地局ＢＳ１との間にパケット通信リンクを確立する。このようにしてパケット通信リンクが基地局ＢＳ１との間に確立されると、ステップ３ｈに移行する。なお、パケット通信リンクを確立する手順の詳細については後述する。
【００２８】
ステップ３ｈにおいて制御部１０１は、通信部１０３を制御して、センター装置４００（ＩＰ０）宛ての発呼要求メッセージを送信し、タイマＴを起動して経過時間の計測を開始し、ステップ３ｉに移行する。この発呼要求メッセージには、移動局１００に予め割り当てられている電話番号の情報Ｍ１と、ステップ３ａで受け付けた着先である移動局２００の電話番号Ｍ２が含まれる。
【００２９】
ステップ３ｉにおいて制御部１０１は、通信部１０３の受信データを監視し、ステップ３ｇで確立したパケット通信リンクを通じて、着先である移動局２００から起動応答メッセージを受信したか否かを判定する。ここで、上記起動応答メッセージを受信した場合には、ステップ３ｋに移行し、一方、受信しない場合には、ステップ３ｊに移行する。
【００３０】
ステップ３ｊにおいて制御部１０１は、ステップ３ｈで開始したタイマＴの計測時間が予め設定した時間ｔを超えたか否かを判定する。ここで、タイマＴが時間ｔ以上計測している場合（タイムアウト）には、ステップ３ｎに移行し、時間ｔ未満であれば、ステップ３ｉに移行し、再び起動応答メッセージの受信を待機する。
【００３１】
ステップ３ｋにおいて制御部１０１は、ステップ３ｉで受信した起動応答メッセージに含まれる移動局２００のＩＰアドレスＩＰ２に基づいて、通信部１０３を制御して、着先である移動局２００との間に、ＶｏＩＰによる音声通信を行うための音声通信リンクを確立し、ステップ３ｌに移行する。
【００３２】
ステップ３ｌにおいて制御部１０１は、音声入出力部１０６のマイクロホンを通じて入力されるユーザの入力音声信号を符号化し、通信部１０３を制御して、上記音声通信リンクを通じて移動局２００に送信するとともに、上記音声通信リンクを通じて移動局２００から受信した音声データを復号し、音声入出力部１０６のスピーカを通じて相手側の送話音声を拡声出力する音声信号処理を開始し、ステップ３ｍに移行する。
【００３３】
ステップ３ｍにおいて制御部１０１は、ユーザにより入力部１０５のオンフックキーが操作されたり、あるいは通信部１０３が移動局２００から終話信号を受信するなどの終話条件が満たされたか否かを判定する。
【００３４】
ここで、終話条件が満たされた場合には、ステップ３ｎに移行し、制御部１０１は、通信部１０３を制御して、移動局２００に宛てて終話信号を送信するとともに、上記音声通信リンクおよび上記パケット通信リンクを切断し、当該処理を終了する。一方、終話条件が満たされない場合には、そのままステップ３ｍにて終話条件が満たされることを監視し、音声信号処理が継続されて通話が継続される。
【００３５】
次に、回線交換による音声通信、およびＶｏＩＰによる音声通信を着信側として実施する場合の処理について説明する。この処理を図４のフローチャートに示す。この処理は、制御部１０１によってなされ、その制御プログラムは、記憶部１０７に記憶され、電源が投入されると繰り返し実行される。なお、この処理は、着信側の移動無線端末装置である移動局２００の処理であるが、移動局１００においても同様に実行可能である。
【００３６】
まず、ステップ４ａにおいて制御部１０１は、無線部１０２が受信する基地局ＢＳ２からの受信信号を監視し、着信の発生を監視する。ここで着信発生を検出した場合には、ステップ４ｂに移行し、一方、着信が発生していない場合には、引き続き着信の発生を監視する。
【００３７】
ステップ４ｂにおいて制御部１０１は、回線接続手段１０３ａに対して、通信リンクを確立するように指示を与える。すると、回線接続手段１０３ａは、無線部１０２を制御して、回線交換網５００を通じた音声通信を行うための手順を実行し、基地局ＢＳ２との間に回線交換リンクを確立する。このようにして回線交換リンクが確立されると、制御部１０１は、ステップ４ｃに移行する。
【００３８】
ステップ４ｃにおいて制御部１０１は、通信部１０３が受信した呼設定に、ＵＵＩ情報が含まれるか否かを判定する。ここで、呼設定にＵＵＩ情報が含まれる場合には、このＵＵＩ情報を解析し、これに基づいて発生した着信がパケット起動メッセージが含まれる着信かを判断する。ここで、通常の着信の場合には、ステップ４ｄに移行し、一方、ＵＵＩ情報にパケット起動メッセージが含まれる着信の場合には、ステップ４ｉに移行する。
【００３９】
ステップ４ｄにおいて制御部１０１は、図示しないサウンダを制御して呼び出し音を拡声出力するとともに、表示部１０４に着信を報知する表示を開始し、ステップ４ｅに移行する。
【００４０】
なおここで制御部１０１は、電話番号を表示部１０４に表示したり、記憶部１０７に記憶される電話帳データを参照し、上記電話番号に一致する名前を表示部１０４に表示して、誰からの着信であるかをユーザに報知する。
【００４１】
ステップ４ｅにおいて制御部１０１は、ユーザが入力部１０５のいずれかのキーを操作して、着信に応答する旨の指示を受け付けたか否かを判断する。ここで、入力部１０５を通じて着信に応答する指示を受け付けた場合には、ステップ４ｆに移行し、受け付けない場合には、引き続き、応答する指示の発生を待機する。
【００４２】
ステップ４ｆにおいて制御部１０１は、音声入出力部１０６のマイクロホンを通じて入力されるユーザの入力音声信号を符号化し、通信部１０３を制御して、上記音声通信リンクを通じて通信相手に送信するとともに、上記通信リンクを通じて受信した音声データを復号し、音声入出力部１０６のスピーカを通じて相手側の送話音声を拡声出力する音声信号処理を開始し、ステップ４ｇに移行する。
【００４３】
ステップ４ｇにおいて制御部１０１は、ユーザにより入力部１０５のオンフックキーが操作されたり、あるいは通信部１０３が移動局１００から終話信号を受信するなどの終話条件が満たされたか否かを判定する。
【００４４】
ここで、終話条件が満たされた場合には、ステップ４ｈに移行し、一方、終話条件が満たされない場合には、そのままステップ４ｇにて終話条件が満たされることを監視し、音声信号処理が継続されて通話が継続される。
【００４５】
ステップ４ｈにおいて制御部１０１は、通信部１０３を制御して、移動局１００に宛てて終話信号を送信するとともに、上記音声通信リンクを切断し、当該処理を終了する。
【００４６】
一方、ステップ４ｉにおいて制御部１０１は、ＵＵＩ情報から発側の移動局１００の電話番号Ｍ１とＩＰアドレスＩＰ１を検出し、センター装置４００にパケット起動に対する応答のＵＵＩ情報を呼出に載せて送信し、ステップ４ｊに移行する。なお、ステップ４ｉにおける移動局２００とセンター装置４００とのやり取りは、後に詳述する。
【００４７】
ステップ４ｊにて制御部１０１は、通信部１０３を制御して、基地局ＢＳ２との間の回線交換リンクを切断し、ステップ４ｋに移行する。
【００４８】
ステップ４ｋにおいて制御部１０１は、パケット接続手段１０３ｂに対して、パケット通信リンクを確立するように指示を与える。これによりパケット接続手段１０３ｂは、無線部１０２を制御して、基地局ＢＳ２との間にパケット通信リンクを確立する。このようにしてパケット通信リンクが基地局ＢＳ２との間に確立されると、ステップ４ｌに移行する。なお、パケット通信リンクを確立する手順の詳細については後述する。
【００４９】
ステップ４ｌにおいて制御部１０１は、パケット接続手段１０３ｂを制御して、上記パケット通信リンクを通じて、起動応答メッセージをステップ４ｃで受信したＩＰアドレスＩＰ１（移動局１００）宛に送信させ、ステップ４ｍに移行する。なお、上記起動応答メッセージには、記憶部１０７に記憶する自局（移動局２００）の電話番号Ｍ２と、ステップ４ｋでのリンク確立の際に割り当てられたＩＰアドレスＩＰ２が含まれる。
【００５０】
ステップ４ｍにおいて制御部１０１は、ステップ４ｃで受信した移動局１００のＩＰアドレスＩＰ１に基づいて、通信部１０３を制御して、移動局１００との間に、ＶｏＩＰによる音声通信を行うための音声通信リンクを確立し、ステップ４ｎに移行する。
【００５１】
ここで制御部１０１は、ステップ４ｃで検出した電話番号Ｍ１を表示部１０４に表示したり、記憶部１０７に記憶される電話帳データを参照し、上記電話番号Ｍ１に一致する名前を表示部１０４に表示して、誰からの着信であるかをユーザに報知し、これにより着信の発生を報知する。
【００５２】
ステップ４ｎにおいて制御部１０１は、音声入出力部１０６のマイクロホンを通じて入力されるユーザの入力音声信号を符号化し、通信部１０３を制御して、上記音声通信リンクを通じて移動局１００に送信するとともに、上記音声通信リンクを通じて移動局１００から受信した音声データを復号し、音声入出力部１０６のスピーカを通じて相手側の送話音声を拡声出力する音声信号処理を開始し、ステップ４ｏに移行する。
【００５３】
ステップ４ｏにおいて制御部１０１は、ユーザにより入力部１０５のオンフックキーが操作されたり、あるいは通信部１０３が移動局１００から終話信号を受信するなどの終話条件が満たされたか否かを判定する。
【００５４】
ここで、終話条件が満たされた場合には、ステップ４ｐに移行し、一方、終話条件が満たされない場合には、そのままステップ４ｏにて終話条件が満たされることを監視し、音声信号処理が継続されて通話が継続される。
【００５５】
ステップ４ｐにおいて制御部１０１は、通信部１０３を制御して、移動局１００に宛てて終話信号を送信するとともに、上記音声通信リンクおよび上記パケット通信リンクを切断し、ステップ４ａに移行して、新たな着信の発生を待機する。
【００５６】
次に、図５に示すシーケンス図を参照して、移動局１００から移動局２００に向けた発信により、ＶｏＩＰによる音声通信を行う処理を説明する。  
まず、移動局１００では、ステップ３ａおよび３ｂの処理が実施されると、ステップ３ｇによりパケット通信リンクが確立する。この詳細のシーケンスを図６に示す。
【００５７】
移動局１００では、パケット接続手段１０３ｂの制御により、無線部１０２が基地局ＢＳ１にＢＩＮＤを送信する（Ｓ０１）。これを受信した基地局ＢＳ１は、ＩＰ網３０１に対して発呼（ＣＲ）を行う（Ｓ０２）。これに対して、ＩＰ網３０１は、接続完了（ＣＣ）を送信し（Ｓ０３）、これを受けた基地局ＢＳ１は、ＩＰ網３０１にＢＩＮＤ（Ｓ０４）を送信する。これに対して、ＩＰ網３０１は、＋ＲＳＰを送信し（Ｓ０５）、これを受けた基地局ＢＳ１は、ＩＰ網３０１にＲＲ（Ｓ０６）を送信するとともに、移動局１００に＋ＲＳＰを送信して（Ｓ０７）、パケット通信リンクを確立する。
【００５８】
このようにしてパケット通信リンクが確立すると、移動局１００では、パケット接続手段１０３ｂの制御により、無線部１０２を制御して、基地局ＢＳ１およびＩＰ網３０１を通じて、ＤＨＣＰサーバ３１０に、ＩＰアドレスの付与を依頼する（Ｓ０８）。これに対してＤＨＣＰサーバ３１０は、割り当て可能なＩＰアドレスＩＰ１を検出し、ＩＰ網３０１および基地局ＢＳ１を通じて、移動局１００に送信する（Ｓ０９）。
【００５９】
これによりＩＰアドレスＩＰ１を受信した移動局１００は、これを記憶部１０７に記憶し、取得したＩＰアドレスをＤＨＣＰサーバ３１０に返送する（Ｓ１０）。これに対してＤＨＣＰサーバ３１０は、ＰＡＣＫを移動局１００に送信して（Ｓ１１）、移動局１００のＩＰアドレスがＩＰ１に確定する。
【００６０】
このようにしてパケット通信リンクは確立されると、図５に示すように、ステップ３ｂに相当する、センター装置４００（ＩＰ０）に宛てた発呼要求メッセージ（Ｓ１３）を送信する。この要求を受信した基地局ＢＳ１は、ＩＰ網３０１を通じて、センター装置４００に上記発呼要求メッセージを送信する。
【００６１】
これによりセンター装置４００は、移動局１００のＩＰアドレスＩＰ１が通知されるとともに、発側として電話番号Ｍ１が通知され、さらに着先として移動局２００の電話番号Ｍ２が通知される。これに対してセンター装置４００は、移動局２００の電話番号Ｍ２を着先として、回線交換網５００に発呼を行う。この際、ＵＵＩ情報に、上記移動局１００のＩＰアドレスＩＰ１、電話番号Ｍ１およびパケット起動メッセージを載せて、発呼を行う（Ｓ１５）。これを受けた回線交換網５００は、基地局ＢＳ２を通じて移動局２００との間に回線交換リンクを確立し（Ｓ１６）、これを通じて上記ＵＵＩ情報を移動局２００に送信して着信を報知する（Ｓ１７）。
【００６２】
これに対して移動局２００は、制御部１０１が通信部１０３を制御して、上記ＵＵＩ情報の受信を示す応答として呼設定受付メッセージを基地局ＢＳ２に送信する（Ｓ１８）。これを受信した基地局ＢＳ２は、回線交換網５００を通じてセンター装置４００に受信した上記呼設定受付メッセージを送信する（Ｓ１９）。
【００６３】
そして、移動局２００は、ステップ４ｉに相当する処理として、以下のＳ２０を実行する。すなわち、移動局２００は、ＵＵＩ情報から発側の移動局１００の電話番号Ｍ１とＩＰアドレスＩＰ１を検出すると、制御部１０１が通信部１０３を制御して、受信ＯＫを示すＵＵＩ情報を載せた呼出メッセージを基地局ＢＳ２に送信する（Ｓ２０）。これを受信した基地局ＢＳ２は、回線交換網５００を通じてセンター装置４００に受信した上記呼出メッセージを送信する（Ｓ２１）。
【００６４】
これに対してセンター装置４００は、受信ＯＫを含むＵＵＩ情報を受信したことにより、回線交換網５００を通じて基地局ＢＳ２に切断メッセージを送信する（Ｓ２２）。そして基地局ＢＳ２は、受信した上記切断メッセージを移動局２００に送信する（Ｓ２３）。
【００６５】
また基地局ＢＳ２は、回線交換網５００を通じてセンター装置４００に解放メッセージを送信する（Ｓ２４）。これに対してセンター装置４００は、解放メッセージを受信したことにより、回線交換網５００を通じて基地局ＢＳ２に解放完了メッセージを送信する（Ｓ２５）。
【００６６】
一方、上記切断メッセージを受信した移動局２００は、制御部１０１が通信部１０３を制御して、解放メッセージを基地局ＢＳ２に送信する（Ｓ２６）。これを受信した基地局ＢＳ２は、解放完了メッセージを移動局２００に送信する（Ｓ２７）。これにより、センター装置４００と移動局との間の回線接続リンクは解放される。
【００６７】
その後、移動局２００は、図６に示した手順と同様にして、ステップ４ｋに相当する処理として、基地局ＢＳ２との間にパケット通信リンクを開設する（Ｓ２８）。そして、パケット通信リンクが開設できると、移動局２００は、ステップ４ｌに相当する処理として、Ｓ２９を実行する。
【００６８】
すなわち、移動局２００は、上記パケット通信リンクを通じて、起動応答メッセージをＳ１７で受信したＩＰアドレスＩＰ１（移動局１００）宛に送信する（Ｓ２９）。なお、上記起動応答メッセージには、記憶部１０７に記憶する自局（移動局２００）の電話番号Ｍ２と、ステップ４ｋでのリンク確立の際に割り当てられたＩＰアドレスＩＰ２が含まれる。
【００６９】
これに対して基地局ＢＳ２は、上記起動応答メッセージを受信すると、ＩＰ網３０２に上記起動応答メッセージを送信する。すると、上記起動応答メッセージは、宛先ＩＰアドレスＩＰ１に基づいて、ＩＰ網３０１を通じ基地局ＢＳ１に到達する（Ｓ３０）。これに対して基地局ＢＳ１は、受信した上記起動応答メッセージを宛先ＩＰアドレスＩＰ１に基づいて、移動局１００に送信する（Ｓ３１）。
【００７０】
これに対して移動局１００は、ステップ３ｋに相当する処理として、以下のＳ３２を実行する。すなわち、移動局１００は、制御部１０１が通信部１０３を制御して、起動応答メッセージに含まれる移動局２００の電話番号Ｍ２を受信し、これに基づいて上記起動応答メッセージが、自局が発呼した通信すべき局からのものであることを認識する。
【００７１】
すると、移動局１００は、制御部１０１が上記起動応答メッセージの送信元（移動局２００）のＩＰアドレスＩＰ２を検出し、通信部１０３を制御して、ＩＰアドレスＩＰ２を宛先とする接続要求メッセージを基地局ＢＳ１に送信する（Ｓ３２）。
【００７２】
これに対して基地局ＢＳ１は、上記接続要求メッセージを受信すると、ＩＰ網３０１に上記接続要求メッセージを送信する。すると、上記接続要求メッセージは、宛先ＩＰアドレスＩＰ２に基づいて、ＩＰ網３０２を通じ基地局ＢＳ２に到達する（Ｓ３３）。これに対して基地局ＢＳ２は、受信した上記接続要求メッセージを宛先ＩＰアドレスＩＰ２に基づいて、移動局２００に送信する（Ｓ３４）。
【００７３】
これに対して、移動局２００は、上記接続要求メッセージを受信すると、ステップ４ｍに相当する処理として、Ｓ３５を実行する。すなわち、移動局２００は、上記パケット通信リンクを通じて、上記接続要求メッセージの送信元ＩＰアドレスＩＰ１（移動局１００）を宛先として、接続確認メッセージを送信する（Ｓ３５）。
【００７４】
ここで移動局２００の制御部１０１は、図示しないサウンダを制御して呼び出し音を拡声出力するとともに、Ｓ１７で受信したＵＵＩ情報から検出した電話番号Ｍ１を表示部１０４に表示したり、記憶部１０７に記憶される電話帳データを参照し、上記電話番号Ｍ１に一致する名前を表示部１０４に表示して、誰からの着信であるかをユーザに報知し、これにより着信の発生を報知する。
【００７５】
これに対して基地局ＢＳ２は、上記接続確認メッセージを受信すると、ＩＰ網３０２に上記接続確認メッセージを送信する。すると、上記接続確認メッセージは、宛先ＩＰアドレスＩＰ１に基づいて、ＩＰ網３０１を通じ基地局ＢＳ１に到達する（Ｓ３６）。これに対して基地局ＢＳ１は、受信した上記接続確認メッセージを宛先ＩＰアドレスＩＰ１に基づいて、移動局１００に送信する（Ｓ３７）
これに対して、移動局１００は、上記接続確認メッセージを受信すると、制御部１０１が表示部１０４を制御して呼出中である旨の表示を行うとともに、音声入出力部１０６のスピーカを制御して、呼出中を示すコールバック音を拡声出力する。これにより移動局１００のユーザは、移動局２００を呼出中であることを認識できる。
【００７６】
やがて、移動局２００では、入力部１０５を通じてユーザが着信に対して応答すると、これを制御部１０１が検出し、通信部１０３を制御して、Ｓ３８を実行する。すなわち、移動局２００は、上記パケット通信リンクを通じて、上記接続要求メッセージの送信元ＩＰアドレスＩＰ１（移動局１００）を宛先として、接続応答メッセージを送信する（Ｓ３８）。
【００７７】
これに対して基地局ＢＳ２は、上記接続応答メッセージを受信すると、ＩＰ網３０２に上記接続応答メッセージを送信する。すると、上記接続応答メッセージは、宛先ＩＰアドレスＩＰ１に基づいて、ＩＰ網３０１を通じ基地局ＢＳ１に到達する（Ｓ３９）。これに対して基地局ＢＳ１は、受信した上記接続応答メッセージを宛先ＩＰアドレスＩＰ１に基づいて、移動局１００に送信する（Ｓ４０）
これに対して移動局１００は、以下のＳ４１を実行する。すなわち、移動局１００は、制御部１０１が通信部１０３を制御して、上記接続応答メッセージを受信すると、上記接続応答メッセージの送信元（移動局２００）のＩＰアドレスＩＰ２を検出し、通信部１０３を制御して、ＩＰアドレスＩＰ２を宛先とする接続応答確認メッセージを基地局ＢＳ１に送信する（Ｓ４１）。
【００７８】
これに対して基地局ＢＳ１は、上記接続応答確認メッセージを受信すると、ＩＰ網３０１に上記接続応答確認メッセージを送信する。すると、上記接続応答確認メッセージは、宛先ＩＰアドレスＩＰ２に基づいて、ＩＰ網３０２を通じ基地局ＢＳ２に到達する（Ｓ４２）。これに対して基地局ＢＳ２は、受信した上記接続応答確認メッセージを宛先ＩＰアドレスＩＰ２に基づいて、移動局２００に送信する（Ｓ４３）。
【００７９】
このようにして、移動局１００から上記接続応答確認メッセージが移動局２００に到達すると、ＶｏＩＰによる音声通信を行うための音声通信リンクが確立され、以後、移動局１００と移動局２００との間で、上記ＶｏＩＰによる音声通信がなされる。
【００８０】
以上のように、上記構成の移動通信システムでは、発側の移動局１００がＩＰ網３０１を通じてセンター装置４００に対し、着側の移動局２００の電話番号Ｍ２を指定してＶｏＩＰによる音声通信の要求を行い、これに対してセンター装置４００が回線交換網５００を通じて移動局２００に発呼し、ＵＵＩ情報を通じて、移動局１００の電話番号Ｍ１とＩＰアドレスＩＰ１を通知する。
【００８１】
これに対して移動局２００は、通知された移動局１００の電話番号Ｍ１に基づいて、ユーザに誰からの着信が生じているかを報知するとともに、移動局１００のＩＰアドレスＩＰ１に基づいて、ＩＰ網３０２，３０１を通じ移動局１００とＶｏＩＰによる音声通信を行うための音声通信リンクを確立し、ＶｏＩＰによる音声通信を行うようにしている。
【００８２】
したがって、上記構成の移動通信システムによれば、着側の移動局２００は、基地局ＢＳ２との間にパケット通信リンクを常時確立していなくても、移動局１００からの着信を検出できるので、待ち受け時における電池消耗を軽減できる。さらには発側の移動局１００を特定する電話番号Ｍ１も検出できる。また、この効果は、移動局１００や移動局２００がそれぞれ契約する事業者とは無関係に享受することができる。
【００８３】
また移動局１００や２００に付与されるＩＰアドレスは、ＤＨＣＰサーバ３１０や３２０より付与されるものであって、必要以上に占有しないため、アドレス資源を浪費することがない。
【００８４】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００８５】
その一例として例えば、上記実施の形態では、ＩＰアドレスの種類が特に限定されないことより、その種類について特に言及しなかったが、ＩＰｖ６を使用することで、全く別のネットワーク上の機器に対しても、ＮＡＴ（Network Address Translator）やファイヤウォールなどを意識する事無く接続することが可能である。
【００８６】
また上記実施の形態では、移動局１００がセンター装置４００に接続する際に（図５のＳ１２〜Ｓ１４）、基地局ＢＳ１を通じて発呼要求を行うようにしたが、移動局１００が無線ＬＡＮやBluetooth（登録商標）の通信機能を備える場合には、これらの通信機能を利用し、基地局ＢＳ１以外のアクセスポイントを通じて、上記発呼要求をセンター装置４００に行うようにしてもよい。すなわち、発呼要求を行うのに用いるアクセスポイントと、ＶｏＩＰによる音声通信を行うのに用いるアクセスポイントが異なるものであってもよい。
【００８７】
そして上記実施の形態では、移動局２００が移動局１００とＶｏＩＰによる音声通信を行うのに、基地局ＢＳ２を用いるようにしたが、移動局２００が無線ＬＡＮやBluetooth（登録商標）の通信機能を備える場合には、これらの通信機能を利用し、基地局ＢＳ２以外のアクセスポイントを通じて、移動局１００と通信するようにしてもよい。すなわち、センター装置４００からＵＵＩ情報を受けるアクセスポイント（基地局ＢＳ２）と、ＶｏＩＰによる音声通信を行うのに用いるアクセスポイントが異なるものであってもよい。  
その他、この発明の要旨を逸脱しない範囲で種々の変形を施しても同様に実施可能であることはいうまでもない。
【図面の簡単な説明】
【００８８】
【図１】この発明に係わる移動通信システムの一実施形態の構成を示すシステム構成図。
【図２】図１に示した移動通信システムの移動局の構成を示す回路ブロック図。
【図３】図２に示した移動局のＶｏＩＰによる音声通信の発信時における動作を説明するためのフローチャート。
【図４】図２に示した移動局の音声通信の着信時における動作を説明するためのフローチャート。
【図５】図１に示した移動通信システムの動作を説明するためのシーケンス図。
【図６】図１に示した移動局が基地局とパケット通信リンクを確立する際のシーケンスを説明するためのシーケンス図。
【符号の説明】
【００８９】
１００…移動局、１０１…制御部、１０２…無線部、１０３…通信部、１０３ｂ…パケット接続手段、１０３ａ…回線接続手段、１０４…表示部、１０５…入力部、１０６…音声入出力部、１０７…記憶部、２００…移動局、３０１，３０２…ＩＰ網、３１０…ＤＨＣＰサーバ、３２０…ＤＨＣＰサーバ、４００…センター装置、５００…回線交換網、ＢＳ１…基地局、ＢＳ２…基地局。
【図１】
2006287791.tif 000003
【図２】
2006287791.tif 000004
【図３】
2006287791.tif 000005
【図４】
2006287791.tif 000006
【図５】
2006287791.tif 000007
【図６】
2006287791.tif 000008